(57)【要約】【課題】水漏れの発生を防止可能な薄型防水作業灯を提供する。【解決手段】薄型防水作業灯は、ストリップボトムカバーと、ストリップトップカバーと、２本の玉縁とを備える。前記ストリップボトムカバーは、側縁部と、エンドキャップと、複数の第１ラッチと、第１収容溝と、シールストリップとを有する。前記エンドキャップは段差構造である。前記ストリップトップカバーは、溝状の構造であり、前記エンドキャップの段差構造と側縁部に覆設され、前記ストリップトップカバーは、第２収容溝と、第２ラッチとを備える。各前記第１ラッチは、第１本体と、第１バックルとを含む。前記第２ラッチは、第２本体と、第２バックルとを含む。前記玉縁は、離間して配置された複数の第３ラッチを備える。前記第３ラッチは、第３本体と、第３バックルとを含む。前記第３バックルの延在方向は、それぞれ係合される前記第１及び第２バックルの延在方向と反対である。【選択図】図１
2020107596.tif 000002
【特許請求の範囲】
【請求項１】
ストリップボトムカバーと、前記ストリップボトムカバーに覆設されたストリップトップカバーと、前記ストリップボトムカバーとストリップトップカバーとをロックするための２本の玉縁と、を備える薄型防水作業灯であって、
前記ストリップボトムカバーは、離間して配置された２本の側縁部と、前記側縁部の長さ方向にそれぞれ配置された２つのエンドキャップと、２本の前記側縁部に離間して配置された複数の第１ラッチと、前記側縁部とエンドキャップに周回配置された前記ストリップトップカバー側に向かっている第１収容溝と、前記第１収容溝に配置されたシールストリップと、を有し、
前記エンドキャップは、段差部を有し、
前記第１収容溝の一部は、前記第１収容溝が環状溝となるように前記段差部に配置され、
前記シールストリップは、環状のシールリングであり、
前記ストリップトップカバーは、溝状の構造であり、前記エンドキャップの段差構造と側縁部に覆設され、前記ストリップトップカバーは、前記第１収容溝と対応する第２収容溝と、離間して配置された複数の第２ラッチとを備え、前記ストリップトップカバーが前記ストリップボトムカバーに覆設されると、前記シールストリップが前記第１及び第２収容溝に介設され、
各前記第１ラッチは、前記側縁部から幅方向に延びる第１本体と、前記第１本体から前記ストリップトップカバーから離れる方向に向かって延びる第１バックルとを含み、
各前記第２ラッチは、第２本体と、前記第２本体から前記ストリップボトムカバーから離れる方向に向かって延びる第２バックルとを含み、
前記玉縁は、離間して配置された複数の第３ラッチを備え、
前記第３ラッチは、第３本体と、前記第３本体から延びる第３バックルとを含み、前記第３バックルの延在方向は、それぞれ係合される前記第１及び第２バックルの延在方向と反対であることを特徴とする薄型防水作業灯。
【請求項２】
前記第１バックルは、前記側縁部と離間して配置され、前記第３バックルは、前記第１バックルと側縁部との間に係合されることを特徴とする請求項１に記載の薄型防水作業灯。
【請求項３】
前記第２バックルは、前記ストリップトップカバーの側壁と離間して配置され、前記第３バックルは、前記第２バックルとストリップトップカバーの側壁との間に係合されることを特徴とする請求項１に記載の薄型防水作業灯。
【請求項４】
前記ストリップボトムカバーの長さ方向に垂直する断面では、ただ１つの第１ラッチが存在して当該断面と交差することを特徴とする請求項１に記載の薄型防水作業灯。
【請求項５】
前記第１及び第２収容溝の断面形状は弧状であり、当該弧状の中心角は１８０度以下であることを特徴とする請求項１に記載の薄型防水作業灯。
【請求項６】
いずれか第１ラッチを通過すると共に、前記ストリップボトムカバーの長さ方向に垂直する断面に関し、当該断面が１つの第２ラッチを通過することを特徴とする請求項１に記載の薄型防水作業灯。
【請求項７】
前記玉縁は、離間して配置された複数の係合部を有し、各前記係合部は窪みを含み、前記第３ラッチは前記窪みの一側に配置されることを特徴とする請求項１に記載の薄型防水作業灯。
【請求項８】
前記ストリップボトムカバーの長さ方向に垂直する断面において、前記段差部の断面形状は、前記ストリップトップカバーの断面形状と同じであることを特徴とする請求項１に記載の薄型防水作業灯。
【請求項９】
前記第１及び第２バックルの間の前記ストリップボトムカバーとストリップトップカバーの配列方向における最大距離は、２つの隣接する延在方向が反対である第３バックル同士の最大距離以下であることを特徴とする請求項１に記載の薄型防水作業灯。
【請求項１０】
前記薄型防水作業灯は、前記ストリップボトムカバーに配置されたボタンユニットをさらに備え、前記ボタンユニットは、軟性材料で形成され、前記エンドキャップに当接する軟性端部を含んでいることを特徴とする請求項１に記載の薄型防水作業灯。
【発明の詳細な説明】
【技術分野】
【０００１】
本発明は、灯具の技術分野に属し、特に、薄型防水作業灯に関する。
【背景技術】
【０００２】
現在、一般的に使用されている防水・防塵灯具は、ランプソケットと、口金と、ランプカップと、駆動電源と、ランプパネルと、光源と、透光板と、前面カバーとを備え、前面カバーとの間はネジ構造による接続が多く採用され、透光板及び前面カバーは、ゴム糊でランプカップの内壁や段差にしっかりと貼り付けることが多く、防水・防塵の高圧試験を行う場合、前面カバーとの間の接続は密着性が十分でない、或いは前面カバーの密閉性が良くないため、水分の侵入による短絡や、ほこりの侵入による見苦しい、水分の侵入による湿気短絡等を招きやすくて、灯具のＵＬ認証に合格できない場合が多い。
【０００３】
勿論、一部の灯具のパネルもネジ構造による接続を採用しており、ランプパネルはネジを介してランプカップの内側のネジ穴に固定され、前面カバーはネジを介してランプカップの内側の段差に固定される。しかしながら、ネジによって接続固定する際に、弾性ガスケットを合わせて使用しなかったため、口金とランプカップ、前面カバーとランプカップ同士の接続の密着性が十分でなく、水漏れ等の現象が発生しやすくなる。同時に、前面カバー内にも必要な防水パッドが欠如しているため、灯具の湿気短絡が発生する可能性はさらに大きくなる。
【発明の概要】
【発明が解決しようとする課題】
【０００４】
上記を鑑みて、本発明は、上記の問題を解決するために、水漏れの発生を防止可能な薄型防水作業灯を提供する。
【課題を解決するための手段】
【０００５】
薄型防水作業灯は、ストリップボトムカバーと、前記ストリップボトムカバーに覆設されたストリップトップカバーと、前記ストリップボトムカバーとストリップトップカバーとをロックするための２本の玉縁とを備える。前記ストリップボトムカバーは、離間して配置された２本の側縁部と、前記側縁部の長さ方向にそれぞれ配置された２つのエンドキャップと、２本の前記側縁部に離間して配置された複数の第１ラッチと、前記側縁部とエンドキャップに周回配置された前記ストリップトップカバー側に向かっている第１収容溝と、前記第１収容溝に配置されたシールストリップとを有する。前記エンドキャップは、段差構造である。前記第１収容溝の一部は、前記第１収容溝が環状溝となるように前記段差構造に配置される。前記シールストリップは、環状のシールリングである。前記ストリップトップカバーは、溝状の構造であり、前記エンドキャップの段差構造と側縁部に覆設され、前記ストリップトップカバーは、前記第１収容溝と対応する第２収容溝と、離間して配置された複数の第２ラッチとを備える。前記ストリップトップカバーが前記ストリップボトムカバーに覆設されると、前記シールストリップは前記第１及び第２収容溝に介設される。各前記第１ラッチは、前記側縁部から幅方向に延びる第１本体と、前記第１本体から前記ストリップトップカバーから離れる方向に向かって延びる第１バックルとを含む。各前記第２ラッチは、幅方向に延びる第２本体と、前記第２本体から前記ストリップボトムカバーから離れる方向に向かって延びる第２バックルとを含む。前記玉縁は、離間して配置された複数の第３ラッチを備える。前記第３ラッチは、第３本体と、前記第３本体から延びる第３バックルとを含む。前記第３バックルの延在方向は、それぞれ係合される前記第１及び第２バックルの延在方向と反対である。
【発明の効果】
【０００６】
従来技術と比較すると、本発明により提供される薄型防水作業灯は、前記ストリップトップカバー及びストリップボトムカバーにおける防水構造に対する設計、即ち、ストリップボトムカバーに環状の第１収容溝を配置し、ストリップトップカバーに環状の第２収容溝を配置し、前記第１及び第２収容溝にシールストリップを介設することによって、前記ストリップボトムカバーとストリップトップカバーとを締め付けると、前記ストリップボトムカバーとストリップトップカバーの結合部での防水を実現できる。一方、前記ストリップボトムカバーとストリップトップカバーとの締め付けを達成すると共に、当該ストリップボトムカバーとストリップトップカバーの配列方向における高さを増加しないために、前記ストリップボトムカバーとストリップトップカバーの側壁に、延在方向が反対である第１及び第２ラッチをそれぞれ配置し、そして、第３ラッチを有する２つの玉縁を使用して当該第１及び第２ラッチをロックさせる。前記第１、第２、第３ラッチがいずれも前記薄型防水作業灯の側縁部に配置されているため、当該作業灯の厚みを増加することはない。よって、前記ストリップボトムカバーとトップカバーとをロックすると共に、作業灯の厚みを増加させず、さらに、当該作業灯をできるだけ薄くする目的を達成することができる。
【図面の簡単な説明】
【０００７】
【図１】本発明の提供する薄型防水作業灯の分解構造模式図である。
【図２】図１の薄型防水作業灯の別角度からの分解構造模式図である。
【図３】図２の薄型防水作業灯のＡ部での部分拡大構造模式図である。
【図４】図２の薄型防水作業灯のＢ部での部分拡大構造模式図である。
【図５】図２の薄型防水作業灯のＣ部での部分拡大構造模式図である。
【図６】図１の薄型防水作業灯の断面構造模式図である。
【発明を実施するための形態】
【０００８】
以下、本発明の具体的な実施例について、さらに詳しく説明する。なお、ここで本発明の実施例に対する説明が本発明の保護範囲を限定するものではないことを理解すべきである。
【０００９】
図１乃至図６に示すように、それらは本発明の提供する薄型防水作業灯の構造模式図である。前記薄型防水作業灯は、ストリップボトムカバー１０と、前記ストリップボトムカバー１０に係合されるストリップトップカバー２０と、前記ストリップボトムカバー１０とストリップトップカバー２０にそれぞれ係合される厚さ方向に沿う２本の玉縁３０と、前記ストリップボトムカバー１０に配置される透光板４０と、前記ストリップボトムカバー１０に配置され、前記透光板４０と離間して配置されるボタンユニット５０とを備える。なお、前記薄型防水作業灯がさらに、例えば、前記ストリップボトムカバー１０と前記ストリップトップカバー２０との間に配置された発光モジュールや、電源モジュール、スイッチモジュール、電気接続部品等の幾つか他の機能モジュールを含んでもよいことをよく理解でき、当業者にとって周知の技術であるため、ここではさらに詳しく説明しない。
【００１０】
前記ストリップボトムカバー１０は、溝状の構造であり、１本の底縁部１１と、前記底縁部１１の両側に離間して配置された２本の側縁部１２と、前記側縁部１２の長さ方向にそれぞれ配置された２つのエンドキャップ１３と、２本の前記側縁部１２に離間して配置された複数の第１ラッチ１４と、前記側縁部１２とエンドキャップ１３に周回配置された前記ストリップトップカバー２０側に向かっている第１収容溝１５と、前記第１収容溝１５に配置されたシールストリップ１６とを有してもよい。前記底縁部１１、側縁部１２、エンドキャップ１３、第１ラッチ１４、及び第１収容溝１５は、一体成型され、プラスチックから射出成型することができる。前記底縁部１１、２本の側縁部１２、及び２つのエンドキャップ１３により溝状の構造が形成されることは、当業者には理解されるはずであり、ここではさらに詳しく説明しない。前記底縁部１１は、前記透光板４０を配置するための透光孔１１１と、当該透光孔１１１と離間して配置された円形孔１１２と、当該円形孔１１２と離間して配置された納置溝１１３とを有する。前記透光孔、並びに前記円形孔１１２と納置溝１１３の構造、密閉原理、及び協働関係については、前記透光板４０及びボタンユニット５０と共に詳細に後述する。前記透光孔１１１、円形孔１１２、及び納置溝１１３は、前記ストリップボトムカバー１０の長さ方向に沿って順に並んで配置される。前記エンドキャップ１３は、段差構造であり、前記第１収容溝１５の部分を配置するために段差部１３１を含んでいる。なお、各前記エンドキャップ１３に、電源孔やデータインターフェース孔等の機能孔が設けられてもよいことはよく理解できる。本実施例では、前記エンドキャップ１３のうちの一方に電源孔が開設され、他方にデータインターフェース孔が開設されている。前記第１ラッチ１４は、前記側縁部１２の外側に配置され、同じ構造を有するため、ここでは１つの第１ラッチ１４のみを例として説明する。前記第１ラッチ１４は、前記側縁部１２から前記ストリップボトムカバー１０の幅方向に沿って延びる第１本体１４１と、前記第１本体１４１から前記ストリップトップカバー２０から離れる方向に向かって延びる第１バックル１４２とを含む。前記第１バックル１４２は、前記ストリップボトムカバー１０の側壁と離間して配置される。当該複数の前記第１ラッチ１４は、前記側縁部１２の長さ方向に沿って離間して配置され、且つ、その動作原理については前記ストリップトップカバー２０及び前記玉縁３０と共に詳細に説明する。前記ストリップトップカバー２０の後述する第２ラッチ２２と協働するために、前記ストリップボトムカバー１０の長さ方向に垂直な断面では、ただ１つの第１ラッチ１４が存在して当該断面と交差する。即ち、前記ストリップボトムカバー１０に長さ方向に沿って、２本の前記側縁部１２に配置された第１ラッチ１４は千鳥状に配置される。前記第１収容溝１５は、環状溝であり、且つ、その断面は弧状又は四角形又はＵ字状である。本実施例において、前記第１収容溝１５の断面はＵ字状である。前記第１収容溝１５の断面が弧状である場合、当該弧状の中心角は１８０度以下である。前記シールストリップ１６は、シリカゲル製であり、前記第１収容溝１５の断面構造に従って配置することができるため、本実施例では、前記シールストリップ１６の断面はＵ字状であり、前記第１収容溝１５と締りばめとなるように充填される。
【００１１】
前記ストリップトップカバー２０は、溝状の構造であり、第２収容溝２１と、離間して配置された複数の第２ラッチ２２とを備える。前記ストリップトップカバー２０は、その長さ方向に貫通する溝であり、その端部は直接に前記エンドキャップ１３の段差部１３１に覆設されている。従って、当該ストリップトップカバー２０の断面は、前記段差部１３１の断面と同じになって当該段差部１３１と協働すべきである。前記第２収容溝２１は、前記第１収容溝１５と同じ構造を有する。即ち、その断面もＵ字状である。前記第２収容溝２１も前記シールストリップ１６と締りばめとなるように配置される。前記ストリップトップカバー２０が前記ストリップボトムカバー１０に覆設されると、前記第２収容溝２１は前記第１収容溝１５を露出させる前記シールストリップ１６の一部を収容する。また、前記シールストリップ１６が前記第１及び第２収容溝１５、２１と締りばめとなるように配置されるため、前記ストリップボトムカバー１０とストリップトップカバー２０は２本の前記玉縁３０によりクランプされる時、前記シールストリップ１６は変形することで、前記ストリップボトムカバー１０とストリップトップカバー２０との結合スリットからの水の侵入を防止する目的を達成することができる。各前記第２ラッチ２２は、前記第１ラッチ１４とほぼ同じ構造を有し、同様に、第２本体２２１と、当該第２本体２２１から延出した第２バックル２２２とを含んでいる。前記第２バックル２２２は前記ストリップトップカバー２０の側壁と離間して配置される。唯一の相違点として、前記第２バックル２２２が前記ストリップボトムカバー１０から離れる方向に延びること、即ち、前記第２バックル２２２の延在方向が前記第１バックル１４２の延在方向と反対であることである。第１ラッチ１４の配置位置と同様に、前記ストリップボトムカバー１０の長さ方向に垂直な断面では、ただ１つの第２ラッチ２２が存在して当該断面と交差する。即ち、前記ストリップボトムカバー１０の長さ方向に沿って、前記ストリップトップカバー２０の側壁に配置された第２ラッチ２２は千鳥状に配置される。このように前記第１及び第２ラッチ１４、２２を配置する動作原理は、以下の後述する第３ラッチ３１２と共に詳細に説明する。
【００１２】
２本の前記玉縁３０は同じ構造を有しており、ここでは玉縁３０の一方のみを例としてその構造及び動作原理を説明する。前記玉縁３０の断面形状は、弧状又は方溝状であってもよい。前記玉縁３０は、離間して配置された複数の係合部３１を有する。複数の当該係合部３１は、前記ストリップボトムカバー１０の長さ方向に沿って配列され、各前記第１及び第２ラッチ１４、２２とそれぞれ対応し、当該第１及び第２ラッチ１４、２２とそれぞれ係合されることで、前記ストリップボトムカバー１０とストリップトップカバー２０との間の相対位置をロックして固定させる。各前記係合部３１はほぼ同じ構造を有しており、ここでは１つのみの係合部３１を例としてその構造と動作原理を説明する。前記係合部３１は、窪み３１１と、前記窪み３１１の側縁部に配置された第３ラッチ３１２とを含んでいる。前記係合部３１１それぞれが前記第１及び第２ラッチ１４、２２と協働して係合するために用いられるため、前記第３ラッチ３１２は、第３本体３１３と、前記第３本体３１３から延出した第３バックル３１４とを含んでいる。前記第３本体３１３の配置位置は、その対応する第１及び第２ラッチ１４、２２の位置と関連する。即ち、前記第１及び第２ラッチ１４、２２の位置と対応する。前記第３バックル３１４の延在方向も対応する第１及び第２ラッチ１４、２２の第１及び第２バックル１４２、２２２の延在方向と関連する。即ち、前記第３バックル３１４の延在方向が前記第１及び第２バックル１４２、２２２のうちの一方の延在方向と反対である。前記玉縁３０が前記ストリップボトムカバー１０とストリップトップカバー２０に係合されると、複数の前記第３バックル３１４それぞれは、前記第１バックル１４２又は第２バックル２２２とストリップボトムカバー１０又はストリップトップカバー２０との間の隙間に挿設される。また、第１バックル１４２と第２バックル２２２の延在方向が反対であることで、前記ストリップボトムカバー１０とストリップトップカバー２０の配列方向において前記ストリップボトムカバー１０及びストリップトップカバー２０をロックすることができる。勿論、前記ストリップボトムカバー１０とストリップトップカバー２０とをロックさせるために、前記第１及び第２バックル１４２、２２２の間の前記ストリップボトムカバー１０とストリップトップカバー２０の配列方向における最大距離を、２つの隣接する延在方向が反対である第３バックル３１４同士の最大距離以下にしなければならないことはよく理解できる。さらに、いずれか第１ラッチ１４を通過すると共に、前記ストリップボトムカバー１０の長さ方向に垂直する断面に関し、当該断面が１つの第２ラッチ２２を通過することで、前記第１及び第２ラッチ１４、２２の前記ストリップボトムカバー１０及びストリップトップカバー２０に加わる力は、前記ストリップボトムカバー１０とストリップトップカバー２０の配列方向と平行であり、さらに前記シールストリップ１６を締め付けると共に、前記ストリップボトムカバー１０又はストリップトップカバー２０が前記ストリップボトムカバー１０とストリップトップカバー２０の配列方向と反対の方向に向かって反り上がることによる防水不良を避けることができる。同時に、上記のように、前記ストリップボトムカバー１０の長さ方向に垂直する断面では、ただ１つの第１ラッチ１４と１つの第２ラッチ２２が存在して当該断面と交差することで、第３ラッチ３１２のそれぞれは当該第１ラッチ１４及び第２ラッチ２２と係合する時、ロック力が前記ストリップトップカバー２０又は前記ストリップボトムカバー１０の両側から与えられ、それによって、部品数が多すぎることによる累積公差が大きすぎて、防水不良となることを避けることができる。
【００１３】
前記ストリップボトムカバー１０とストリップトップカバー２０とをロックすると共に、前記シールストリップ１６も前記第１及び第２収容溝１５、２１により締め付けることによって、前記ストリップボトムカバー１０とストリップトップカバー２０との結合部を密閉する目的を達成する。また、前記玉縁３０の前記ストリップボトムカバー１０とストリップトップカバー２０の配列方向における高さは、前記ストリップボトムカバー１０とストリップトップカバー２０のその配列方向における高さよりもやや大きい。従って、当該薄型防水作業灯が不用意で着地する場合、前記玉縁３０が先に地面に接触する可能性があり、また前記玉縁３０がシリカゲルのような軟性材料で作られて、緩衝の役割を果たすことができるため、当該薄型防水作業灯の耐震・耐衝撃性をさらに高めることができる。
【００１４】
前記透光板４０は、前記ストリップボトムカバー１０の透光孔１１１上に覆設される。前記透光孔１１１は、前記ストリップボトムカバー１０の長さ方向に垂直する断面において段差を有することができ、前記透光板４０は前記透光孔１１１の段差に配置され、具体的に、前記透光板４０は、防水目的で防水接着剤を介して前記透光孔１１１上に接着される。
【００１５】
前記ボタンユニット５０は、ゴムやシリカゲル等の軟性材料で形成されてもよい。前記ボタンユニット５０は、押圧部５１と、当該押圧部５１と接続される接続部５２と、前記接続部５２と接続される軟性端部５３とを含む。前記押圧部５１は、前記ストリップボトムカバー１０の円形孔１１２上に配置され、具体的に、前記押圧部５１の縁部は、防水目的で防水接着剤を介して前記円形孔１１２上に接着される。前記接続部５２は、スペースを節約し、当該ボタンユニット５０を固定する目的を達成するために、前記納置溝１１３に納置される。前記軟性端部５３は、前記エンドキャップ１３上に覆設される。前記軟性端部５３には、電源プラグ又は他の機能のプラグの挿入用の貫通孔５４が開設されている。具体的に、前記薄型防水作業灯は防水栓６０をさらに備える。前記防水栓６０の断面形状は、前記貫通孔５４と同じであるが、当該貫通孔５４の断面積よりやや小さい断面積であってもよい。当該防水栓６０は、当該エンドキャップ１３における機能孔を使用しない場合には、防水・防塵の目的で当該機能孔に挿入される。
【００１６】
他方のエンドキャップ１３の機能孔に関し、前記薄型防水作業灯は、封止栓７０と、当該封止栓７０に外嵌するシールリング７１とをさらに備える。前記封止栓７０には２つのフック７２が配置され、前記シールリング７１は前記フック７２に外嵌される。前記フック７２が前記エンドキャップ１３の機能孔に挿入し、前記エンドキャップ１３に引っ掛かると、前記シールリング７１は前記封止栓７０とエンドキャップ１３との間に介設されることで防水・防塵の目的が達成される。
【００１７】
従来技術と比較すると、本発明の提供する薄型防水作業灯は、前記ストリップトップカバー２０及びストリップボトムカバー１０における防水構造に対する設計、即ち、ストリップボトムカバー１０に環状の第１収容溝１５を配置し、ストリップトップカバー２０に環状の第２収容溝２１を配置し、前記第１及び第２収容溝１５、２１にシールストリップ１６を介設することによって、前記ストリップボトムカバー１０とストリップトップカバー２０とを締め付けると、前記ストリップボトムカバー１０とストリップトップカバー２０の結合部での防水を実現することができる。一方、前記ストリップボトムカバー１０とストリップトップカバー２０との締め付けを達成すると共に、当該ストリップボトムカバー１０とストリップトップカバー２０のその配列方向における高さを増加しないために、前記ストリップボトムカバー１０とストリップトップカバー２０の側壁に、延在方向が反対である第１及び第２ラッチ１４、２２をそれぞれ配置し、そして、第３ラッチ３１２を有する２つの玉縁３０を使用して当該第１及び第２ラッチ１４、２２をロックさせる。前記第１、第２、第３ラッチ１４、２２、３１２がいずれも前記薄型防水作業灯の側縁部に配置されているため、当該作業灯の厚みを増加することはない。よって、前記ストリップボトムカバー１０とストリップトップカバー２０とをロックして防水・防塵の目的を達成すると共に、作業灯の厚みを増加させず、さらに、当該作業灯をできるだけ薄くする目的を達成することができる。
【００１８】
以上は、本発明の好ましい実施例にすぎず、本発明の保護範囲を限定するためのものではない。本発明の趣旨の範囲内でなされる如何なる変更、同等な置換や、改良等は、いずれも本発明の特許請求の範囲に含まれる。
【符号の説明】
【００１９】
２  底縁部
１０  ストリップボトムカバー
１１  底縁部
１２  側縁部
１３  エンドキャップ
１４  第１ラッチ
１５  第１収容溝
１６  シールストリップ
２０  ストリップトップカバー
２１  第２収容溝
２２  第２ラッチ
３０  玉縁
３１  係合部
４０  透光板
５０  ボタンユニット
５１  押圧部
５２  接続部
５３  軟性端部
５４  貫通孔
６０  防水栓
７０  封止栓
７１  シールリング
７２  フック
１１１  透光孔
１１２  円形孔
１１３  納置溝
１３１  段差部
１４１  第１本体
１４２  第１バックル
２２１  第２本体
２２２  第２バックル
３１１  係合部
３１２  第３ラッチ
３１３  第３本体
３１４  第３バックル
【図１】
2020107596.tif 000003
【図２】
2020107596.tif 000004
【図３】
2020107596.tif 000005
【図４】
2020107596.tif 000006
【図５】
2020107596.tif 000007
【図６】
2020107596.tif 000008